(57)【要約】【課題】吹出し風路各コーナー部から吹き出した風は四方向に設けられた吹出し口へめがけ吹き込むことにより通風抵抗が増大し、風量の低下および騒音が上昇する。【解決手段】下面側に開口した吸込み口１と、この吸込み口１の周囲に略対称に設けられた吹出し口２と、送風ファン３と、この送風ファン３の遠心方向周囲に配置される熱交換器４と、熱交換器４の周囲に配置される側壁部５と、この側壁部５と当接して送風ファン３の上面側を覆う上面部６と、側壁部５と当接し、熱交換器４の下方を覆うように構成された底面部７とを構成している天井カセツト形空気調和機において、側壁部４に近接して送風方向に対して斜めに立ち上がる仕切り部８と、コーナー部４ａからの送風を専用で吹き出す吹出し口９とを備え、各コーナー部から吹き出した風は仕切り部８により各コーナー部の吹出し流を専用の吹出し口９へ抵抗とならずに吹き出す。【選択図】図２
2007285638.tif 000002
【特許請求の範囲】
【請求項１】
下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセット形空気調和機において、前記熱交換器は前記吹出し口の隣接する角部に対向する部位にコーナー部を少なくとも一ヵ所有し、前記角部と前記吹出し口との間を仕切る仕切り部と、前記コーナー部からの送風を専用で吹き出す吹出し口とを有することを特徴とした天井カセット形空気調和機。
【請求項２】
側壁部は熱交換器の外周側に配置された断熱材で構成されており、仕切り部は側壁部に一体に構成されていることを特徴とする請求項１に記載の天井カセット形空気調和機。
【請求項３】
底面部は熱交換器の下方側に配置された断熱材で構成されており、仕切り部は底面部に一体に構成されていることを特徴とする請求項１に記載の天井カセット形空気調和機。
【請求項４】
側壁部と底面部は一体に形成されており、仕切り部及び送風路はこの一体に形成された側壁部及び底面部に一体に構成されていることを特徴とする請求項１に記載の天井カセット形空気調和機。
【請求項５】
仕切り部は緩衝材を介して熱交換器に接するように構成したことを特徴とする請求項１〜４のうちいずれか一項に記載の天井カセット形空気調和機。
【発明の詳細な説明】
【技術分野】
【０００１】
本発明は天井面に埋め込んで据え付ける天井カセット形空気調和機に関するものであり、より詳しくはその室内ユニットの送風回路の構造に関するものである。
【背景技術】
【０００２】
従来の天井カセット形空気調和機の構造について説明する（例えば、特許文献１参照）。
【０００３】
図７に示すように、下面側に開口した吸込み口１と、この吸込み口１の周囲に略対称に設けられた吹出し口２と、送風ファン３と、この送風ファン３の遠心方向周囲に配置される熱交換器４と、熱交換器４の周囲に配置される側壁部５と、この側壁部５と当接して送風ファン３の上面側を覆う上面部６と、側壁部５と当接し、熱交換器４の下方を覆うように構成された底面部７とから構成されている。
【特許文献１】特開平１０−１９３７０号公報
【発明の開示】
【発明が解決しようとする課題】
【０００４】
しかしながら、上述のように従来の構成では、吹出し風路各コーナー部から吹き出した風は四方向に設けられた吹出し口にめがけ吹き込むことにより通風抵抗が増大し、風量性能の低下や騒音の増大を起こす可能性があるという課題を有している。
【０００５】
本発明は上記従来の課題を解決するものであり、吹出し風路各コーナー部からの吹き込み流による騒音の増加を防止し、風量性能を改善した天井カセット形空気調和機を提供することを目的とする。
【課題を解決するための手段】
【０００６】
前記従来の課題を解決するために、本発明の天井カセット形空気調和機は、側壁部に近接して送風方向に対して斜めに立ち上がる仕切り部と、コーナー部からの送風を専用で吹き出す吹出し口を有したものである。
【０００７】
これによって、各コーナー部から吹き出した風は、仕切り部により各コーナー部の吹出し流を専用の吹出し口へ抵抗とならずに導かれて吹き出すため、吹き出し流による騒音の増加を防止し、風量性能を改善することができる。
【発明の効果】
【０００８】
本発明の天井カセット形空気調和機は、吹出し風路各コーナー部からの吹き込み流による騒音の増加を防止し、風量性能を改善することができる。
【発明を実施するための最良の形態】
【０００９】
第１の発明は、下面側に開口した吸込み口と、この吸込み口の周囲に略対称に設けられた吹出し口と、送風ファンと、この送風ファンの遠心方向周囲に配置される熱交換器と、前記熱交換器の周囲に配置される側壁部と、この側壁部と当接して前記送風ファン上面側を覆う上面部と、前記側壁部と当接し、前記熱交換器下方を覆うように構成された底面部とを具備した天井カセット形空気調和機において、前記熱交換器は前記吹出し口の隣接する角部に対向する部位にコーナー部を少なくとも一ヵ所有し、前記角部と吹出し口との間を仕切る仕切り部と、コーナー部からの送風を専用で吹き出す吹出し口とを設置するものである。これにより、熱交換器の各コーナー部から吹き出した風は、仕切り部により各コ
ーナー部の吹出し流を専用の吹出し口へ抵抗とならずに導かれて吹き出すため、吹き出し流による騒音の増加を防止し、風量性能を改善する効果を得る。
【００１０】
第２の発明は、側壁部は熱交換器の外周側に配置された断熱材で構成されており、仕切り部は側壁部に一体に構成されているものである。これにより、別途形成した仕切り部をあらためて組み立てる必要がなく、組み立て工数の増加を抑制できる。
【００１１】
第３の発明は、底面部は熱交換器の下方側に配置された断熱材で構成されており、仕切り部は底面部に一体に構成されているものである。これにより、別途形成した仕切り部をあらためて組み立てる必要がなく、組み立て工数の増加を抑制できる。
【００１２】
第４の発明は、側壁部と底面部は一体に形成されており、仕切り部及び送風路はこの一体に形成された側壁部及び底面部に一体に構成されているものである。これより、別途形成した仕切り部をあらためて組み立てる必要がなく、組み立て工数の増加を抑制できる。
【００１３】
第５の発明は、仕切り部は緩衝材を介して熱交換器に接するように構成したもので、これにより、仕切り部を損傷することなく熱交換器を組み立てることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における天井カセット形空気調和機の分解図である。図１において、下面側に開口した吸込み口１と、この吸込み口の周囲に略対称に設けられた吹出し口２と、送風ファン３と、この送風ファンの遠心方向周囲に配置される熱交換器４と、熱交換器４の周囲に配置される側壁部５と、この側壁部５と当接して送風ファン３の上面側を覆う上面部６と、側壁部５と当接し、熱交換器４の下方を覆うように構成された底面部７とを構成している。熱交換器４のコーナー部４ａ近傍の側壁部５には、熱交換器４からの吹出し流を吹出し口に導くための仕切り板８が形成されている。
【００１６】
図２は、本発明の第１の実施の形態における天井カセット形空気調和機の部分断面図で、コーナー部の断面を示すものである。図２において、熱交換器４は吹出し口２の隣接する角部に対向する部位にコーナー部を少なくとも一ヵ所有し、角部と吹出し口との間を仕切る仕切り部８と、コーナー部からの送風を専用で吹き出す吹出し口９とを構成している。また、仕切り部８は緩衝材１０を介して熱交換器４に接するように構成している。
【００１７】
上記のように構成された天井カセット形空気調和機について、以下その動作、作用を説明する。まず、各コーナー部から吹き出した風は、仕切り部８により各コーナー部の吹出し流を専用の吹出し口９へ抵抗とならずに吹き出す。このため、吹き込み流による騒音の増加を防止し、風量性能を改善することができる。また、緩衝材１０の緩衝により仕切り部８と熱交換器４を損傷することなく熱交換器４を組み立てられ、組み立て工数の増加を抑制することができる。
【００１８】
以上のように、本実施の形態においては熱交換器４は吹出し口２の隣接する角部に対向する部位にコーナー部を少なくとも一ヵ所有し、角部と吹出し口２との間を仕切る仕切り部８と、この仕切り部８によりコーナー部からの送風を専用で吹き出す吹出し口９とを構成することにより、各コーナー部から吹き出した風は、仕切り部８により各コーナー部の吹出し流を専用の吹出し口９へ抵抗とならずに吹き出すため、吹き込み流による騒音の増加を防止し、風量性能を改善することができる。
【００１９】
（実施の形態２）
図３は、本発明の第２の実施の形態の天井カセット形空気調和機の要部斜視図である。図３において、側壁部５は熱交換器４の外周側に配置された断熱材で構成しており、仕切り部８は側壁部５に一体に構成されている。
【００２０】
以上のように構成された天井カセット形空気調和機においては、別途形成した仕切り部８をあらためて組み立てる必要がなく、組み立て工数の増加を抑制することができる。
【００２１】
（実施の形態３）
図４は、本発明の第３の実施の形態の天井カセット形空気調和機の要部斜視図である。図４において、底面部７は熱交換器４の下方側に配置された断熱材で構成しており、仕切り部８は底面部７に一体に構成している。
【００２２】
以上のように構成された天井カセット形空気調和機においては、別途形成した仕切り部８をあらためて組み立てる必要がなく、組み立て工数の増加を抑制することができる。
【００２３】
（実施の形態４）
図５は、本発明の第４の実施の形態の天井カセット形空気調和機の要部斜視図である。図５において、側壁部５と底面部７は一体に形成されており、仕切り部８はこの一体に形成された側壁部５及び底面部７に一体に構成している。
【００２４】
以上のように構成された天井カセット形空気調和機においては、別途形成した仕切り部８をあらためて組み立てる必要がないとともに、側壁部５と底面部７との組み立ても簡略化され、組み立て工数を低減することができる。
【産業上の利用可能性】
【００２５】
以上のように、本発明にかかる天井カセット形空気調和機は、各コーナー部の吹出し流を吹出し口へ抵抗とならずに吹き出すため、吹き込み流による騒音の増加を防止し、風量性能は低下しないことが可能となるので、住宅および設備などの空調に用いる空気調和機の室内ユニット等の用途にも適用できる。
【図面の簡単な説明】
【００２６】
【図１】本発明の実施の形態１における天井カセット形空気調和機の分解図
【図２】本発明の実施の形態１における天井カセット形空気調和機の部分断面図
【図３】本発明の実施の形態２における天井カセット形空気調和機の要部斜視図
【図４】本発明の実施の形態３における天井カセット形空気調和機の要部斜視図
【図５】本発明の実施の形態４における天井カセット形空気調和機の要部斜視図
【図６】従来の天井カセット形空気調和機の分解図
【符号の説明】
【００２７】
１  吸込み口
２  吹出し口
３  送風ファン
４  熱交換器
４ａ  コーナー部
５  側壁部
６  上面部
７  底面部
８  仕切り部
９  吹出し口
１０  緩衝材
【図１】
2007285638.tif 000003
【図２】
2007285638.tif 000004
【図３】
2007285638.tif 000005
【図４】
2007285638.tif 000006
【図５】
2007285638.tif 000007
【図６】
2007285638.tif 000008